(57)【要約】【課題】表示装置において、焼き付きを解消するための機能を実行する時間を、適正化する。【解決手段】プロジェクター１は、光変調装置１２を有し、光変調装置１２により投射画像を投射する投射部１０と、投射部１０により投射された投射画像を撮像し、撮影データを生成する撮像部５２と、撮影データから、光変調装置１２の焼き付きを解消する解消機能を実行する第１の解消実行時間を決定する決定部３０３と、決定部３０３が決定した第１の解消実行時間で解消機能を実行する処理部３０２と、を備える。【選択図】図１
2020012963.tif 000002
【特許請求の範囲】
【請求項１】
電気光学装置を有し、前記電気光学装置により画像を表示する表示部と、
前記表示部により表示された前記画像を撮像し、撮影データを生成する撮像部と、
前記撮影データから、前記電気光学装置の焼き付きを解消する解消機能を実行する第１の時間を決定する決定部と、
前記決定部が決定した前記第１の時間の間で、前記解消機能を実行する処理部と、を備える、
表示装置。
【請求項２】
前記決定部は、前記解消機能の実行によって前記電気光学装置の焼き付きが解消されたか否かを判定し、
前記処理部は、前記電気光学装置の焼き付きが解消されたと判定した場合、前記解消機能の実行を開始してから前記第１の時間が経過していなくても前記解消機能の実行を終了する、
請求項１に記載の表示装置。
【請求項３】
前記決定部は、
前記処理部が前記解消機能の実行を開始してから前記第１の時間より短い第２の時間が経過した場合に、前記電気光学装置の焼き付きが解消されたか否かを判定する、
請求項２に記載の表示装置。
【請求項４】
前記決定部は、
前記電気光学装置の焼き付きが解消されていないと判定した場合、前記撮像部に前記画像を撮像させ、前記撮影データから前記第１の時間より短い第３の時間を決定し、
前記第３の時間の決定後、前記処理部が前記解消機能の実行を再開してから前記第３の時間より短い第４の時間が経過し、且つ前記第２の時間と前記第４の時間の合計時間が前記第１の時間未満である場合、前記電気光学装置の焼き付きが解消されたか否かを判定する、
請求項３に記載の表示装置。
【請求項５】
前記処理部は、前記解消機能の実行を再開してから前記第４の時間が経過した際に、前記解消機能を実行した合計時間が前記第１の時間以上である場合、前記解消機能の実行を終了する、
請求項４に記載の表示装置。
【請求項６】
前記処理部は、
予め設定されたタイミングで前記解消機能を実行する、
請求項１から５のいずれか一項に記載の表示装置。
【請求項７】
電気光学装置を有し前記電気光学装置により画像を表示する表示部と、前記表示部により表示された前記画像を撮像し、撮影データを生成する撮像部と、を備える表示装置の制御方法であって、
前記撮影データから、前記電気光学装置の焼き付きを解消する解消機能を実行する第１の時間を決定し、
決定した前記第１の時間の間で、前記解消機能を実行する、
表示装置の制御方法。
【発明の詳細な説明】
【技術分野】
【０００１】
本発明は、表示装置、及び、表示装置の制御方法に関する。
【背景技術】
【０００２】
従来、画像を表示する装置に生じる焼き付きを解消する技術が知られている（例えば、特許文献１参照）。特許文献１は、液晶パネルのバックライトを消灯させた状態で、所定時間、グレーの画像を表示させることで液晶パネルの液晶素子を均一に駆動させ、その後に液晶パネルの駆動を停止することで、焼き付きを解消する技術を開示する。
【先行技術文献】
【特許文献】
【０００３】
【特許文献１】特開２０１７−１３０８７９号公報
【発明の概要】
【発明が解決しようとする課題】
【０００４】
特許文献１に開示された構成では、グレーの画像を表示する時間が予め決定される。このため、焼き付きの状態により、焼き付きが十分に解消されない可能性がある。また、不必要に長い時間、グレーの画像が表示される可能性がある。
本発明は、表示装置において、焼き付きを解消するための機能を実行する時間を、適正化することを目的とする。
【課題を解決するための手段】
【０００５】
上記目的を達成するために、本発明の表示装置は、電気光学装置を有し、前記電気光学装置により画像を表示する表示部と、前記表示部により表示された前記画像を撮像し、撮影データを生成する撮像部と、前記撮影データから、前記電気光学装置の焼き付きを解消する解消機能を実行する第１の時間を決定する決定部と、前記決定部が決定した前記第１の時間の間で、前記解消機能を実行する処理部と、を備える。
【０００６】
また、本発明は、前記決定部は、前記解消機能の実行によって前記電気光学装置の焼き付きが解消されたか否かを判定し、前記処理部は、前記電気光学装置の焼き付きが解消されたと判定した場合、前記解消機能の実行を開始してから前記第１の時間が経過していなくても前記解消機能の実行を終了する構成としてもよい。
【０００７】
また、本発明は、前記決定部は、前記処理部が前記解消機能の実行を開始してから前記第１の時間より短い第２の時間が経過した場合に、前記電気光学装置の焼き付きが解消されたか否かを判定する構成としてもよい。
【０００８】
また、本発明は、前記決定部は、前記電気光学装置の焼き付きが解消されていないと判定した場合、前記撮像部に前記画像を撮像させ、前記撮影データから第１の時間より短い第３の時間を決定し、前記第３の時間の決定後、前記処理部が前記解消機能の実行を再開してから第３の時間より短い第４の時間が経過し、且つ前記第２の時間と前記第４の合計時間が前記第１の時間未満である場合、前記電気光学装置の焼き付きが解消された否かを判定する構成としてもよい。
【０００９】
また、本発明は、前記処理部は、前記解消機能の実行を再開してから前記第４の時間が経過した際に、前記解消機能を実行した合計時間が前記第１の時間以上である場合、前記解消機能の実行を終了する構成としてよい。
【００１０】
また、本発明は、前記処理部は、予め設定されたタイミングで前記解消機能を実行する構成としてもよい。
【００１１】
また、上記目的を達成するために、本発明は、電気光学装置を有し前記電気光学装置により画像を表示する表示部と、前記表示部により表示された前記画像を撮像し、撮影データを生成する撮像部と、を備える表示装置の制御方法であって、前記撮影データから、前記電気光学装置の焼き付きを解消する解消機能を実行する第１の時間を決定し、決定した前記第１の時間の間で、前記解消機能を実行する。
【図面の簡単な説明】
【００１２】
【図１】プロジェクターの構成を示すブロック図。
【図２】プロジェクターの動作を示すフローチャート。
【発明を実施するための形態】
【００１３】
図１は、本発明の表示装置の一態様であるプロジェクター１の構成を示すブロック図である。
プロジェクター１には、外部装置として画像供給装置２が接続される。画像供給装置２は、プロジェクター１に画像データを出力する。プロジェクター１は、画像供給装置２から入力される画像データに基づき、投射面としてのスクリーンＳＣに投射画像を投射する。プロジェクター１による投射画像の投射は、表示装置による画像の表示の一例である。
【００１４】
画像供給装置２から入力される画像データは、所定規格に準拠した画像データである。この画像データは、静止画像データであっても動画像データであってもよく、音声データを伴ってもよい。
【００１５】
画像供給装置２は、プロジェクター１に画像データを出力する、いわゆる画像ソースである。画像供給装置２の具体的な構成は制限されず、プロジェクター１に接続可能であって、プロジェクター１に画像データを出力できる機器であればよい。例えば、ディスク型記録メディア再生装置、テレビチューナー装置、パーソナルコンピューターを用いてもよい。
【００１６】
スクリーンＳＣは、幕状のスクリーンであってもよいし、建造物の壁面や設置物の平面をスクリーンＳＣとして利用してもよい。スクリーンＳＣは平面に限らず、曲面や、凹凸を有する面であってもよい。
【００１７】
プロジェクター１は、プロジェクター１の各部を制御する制御部３と、投射画像を投射する投射部１０とを備える。投射部１０は、本発明の表示部に相当する。制御部３は、ＣＰＵ３０、及び、記憶部３１等により構成される。記憶部３１は、ＣＰＵ３０が実行する制御プログラム３１１やデータを不揮発的に記憶する記憶装置であり、フラッシュＲＯＭ等の半導体記憶素子等で構成される。記憶部３１は、ＣＰＵ３０のワークエリアを構成するＲＡＭを含んでもよい。
【００１８】
ＣＰＵ３０は、記憶部３１に記憶されたプロジェクター１の制御プログラム３１１を実行することによって、投射制御部３０１、処理部３０２、及び、決定部３０３として機能する。これらの機能ブロックは、ＣＰＵ３０が、制御プログラム３１１を実行することにより、ソフトウェアとハードウェアの協働により実現される。
【００１９】
記憶部３１は、制御プログラム３１１のほか、設定データ３１２を記憶する。設定データ３１２は、プロジェクター１の動作に関する設定値を含む。設定データ３１２に含まれる設定値は、例えば、画像処理部２５が実行する処理内容、画像処理部２５の処理に用いるパラメーター等である。記憶部３１は、その他のプログラムやデータを記憶してもよい。
【００２０】
投射部１０は、光源１１、光変調装置１２、及び、投射光学系１３を備える。光変調装置１２は、本発明の電気光学装置に相当する。
【００２１】
光源１１は、ハロゲンランプ、キセノンランプ、超高圧水銀ランプ等のランプ、或いは、ＬＥＤやレーザー光源等の固体光源で構成される。光源１１は、光源駆動部２１から供給される電力により点灯し、光変調装置１２に向けて光を発する。
【００２２】
光源駆動部２１は、制御部３の制御に従って光源１１に駆動電流やパルスを供給し、光源１１を発光させる。
【００２３】
光変調装置１２は、ＲＧＢの三原色に対応した３枚の液晶パネル１２１を備える。光源１１が発した光は、ダイクロイックミラーや、反射ミラー、リレーレンズ等によってＲＧＢの３色の色光に分離され、対応する色の液晶パネル１２１に入射される。各液晶パネル１２１は、一対の透明基板間に液晶が封入された構成を有する。各液晶パネル１２１は、複数の画素がマトリックス状に配列された矩形状の画素領域を有しており、液晶に対して画素毎に光変調装置駆動部２２によって駆動電圧が印加される。
【００２４】
光変調装置駆動部２２は、後述する画像処理部２５からＲ、Ｇ、Ｂの３原色に分離された画像データが入力される。光変調装置駆動部２２は、入力される各色の画像データを、対応する液晶パネル１２１の動作に適したデータ信号に変換する。光変調装置駆動部２２は、変換したデータ信号に対応した駆動電圧を液晶パネル１２１の各画素に印加して、各液晶パネル１２１にフレーム単位で画像を描画する。これにより、光源１１から射出される光が光変調装置１２により画像光に変調される。
【００２５】
投射光学系１３は、レンズやミラー等の光学素子を備え、光変調装置１２で変調された光をスクリーンＳＣ上に結像させ、投射画像を投射する。
【００２６】
プロジェクター１は、インターフェース２３、フレームメモリー２４、画像処理部２５、操作部５１、撮像部５２、及び、無線通信部５３を備える。これらの各部は、バス２６を介して制御部３とデータ通信可能に接続される。
【００２７】
インターフェース２３は、データ通信用の有線インターフェースであり、所定の通信規格に準拠したコネクター及びインターフェース回路等を備える。図１では、コネクター及びインターフェース回路についての図示を省略している。インターフェース２３は、ケーブルを介して画像供給装置２に接続され、制御部３の制御に従って、外部の装置との間で画像データや制御データ等を送受信する。インターフェース２３には、各種の通信インターフェースや画像入力用のインターフェースを採用することができる。
【００２８】
フレームメモリー２４は、複数のバンクを備える。各バンクは、画像データの１フレームを書き込み可能な記憶容量を有する。フレームメモリー２４は、例えば、ＳＤＲＡＭにより構成される。なお、ＳＤＲＡＭは、Ｓｙｎｃｈｒｏｎｏｕｓ  Ｄｙｎａｍｉｃ  Ｒａｎｄｏｍ  Ａｃｃｅｓｓ  Ｍｅｍｏｒｙの略である。
【００２９】
画像処理部２５は、フレームメモリー２４に展開された画像データに対して、例えば、解像度変換処理又はリサイズ処理、歪曲収差の補正、形状補正処理、デジタルズーム処理、画像の色合いや輝度の調整等の画像処理を行う。画像処理部２５は、制御部３により指定された処理を実行し、必要に応じて、制御部３から入力されるパラメーターを使用して処理を行う。また、画像処理部２５は、上記のうち複数の画像処理を組み合わせて実行することも勿論可能である。
画像処理部２５は、処理の終了した画像データをフレームメモリー２４から読み出して光変調装置駆動部２２に出力する。
【００３０】
操作部５１は、操作パネル５１１、リモコン受光部５１２、及び入力処理部５１３を備える。
【００３１】
操作パネル５１１は、プロジェクター１の筐体に設けられ、ユーザーが操作可能な各種スイッチを備える。入力処理部５１３は、操作パネル５１１の各スイッチの操作を検出する。
リモコン受光部５１２は、リモコン５０が送信する赤外線信号を受光する。入力処理部５１３は、リモコン受光部５１２が受光した信号をデコードして、操作データを生成し、制御部３に出力する。
入力処理部５１３は、操作パネル５１１、及びリモコン受光部５１２に接続される。入力処理部５１３は、操作パネル５１１またはリモコン受光部５１２でユーザーの操作を受け付けた場合に、受け付けた操作に対応する操作データを生成して制御部３に出力する。
【００３２】
撮像部５２は、撮像光学系と、ＣＣＤやＣＭＯＳ等の撮像素子と、インターフェース回路とを備える。ＣＣＤは、Ｃｈａｒｇｅ  Ｃｏｕｐｌｅｄ  Ｄｅｖｉｃｅの略である。ＣＭＯＳは、Ｃｏｍｐｌｅｍｅｎｔａｒｙ  ＭＯＳの略である。撮像部５２は、制御部３の制御に従って、投射光学系１３の投射方向を撮像する。撮像部５２の撮像範囲、すなわち画角は、スクリーンＳＣとその周辺部とを含む範囲である。撮像部５２は、撮像した撮像データを制御部３に出力する。
【００３３】
無線通信部５３は、図示せぬアンテナやＲＦ回路等を備え、制御部３の制御に従って外部装置との間で無線データ通信を実行する。無線通信部５３は、例えば、無線ＬＡＮ、Ｂｌｕｅｔｏｏｔｈ等の無線通信を実行する。Ｂｌｕｅｔｏｏｔｈは、登録商標である。
【００３４】
次に、ＣＰＵ３０の機能ブロックについて説明する。
投射制御部３０１は、光源駆動部２１、及び光変調装置駆動部２２を制御して、光源１１を点灯させ、光変調装置駆動部２２により光変調装置１２を駆動させ、投射部１０により投射画像を投射させる。また、投射制御部３０１は、画像処理部２５を制御して、インターフェース２３に入力される画像データに対する画像処理を実行させ、光変調装置駆動部２２に画像処理後の画像データを出力させる。
【００３５】
処理部３０２は、各液晶パネル１２１の焼き付きを解消する解消機能を実行する。液晶パネル１２１の焼き付きは、液晶内の液晶分子が部分的に偏在したり、液晶分子の移動によって液晶内のイオン不純物が部分的に偏在したりすることで生じる残像現象であり、液晶パネル１２１の画素ごとに生じる。液晶パネル１２１の焼き付きは、長時間同じ投射画像を投射した場合に生じ易く、投射時間が長ければ長いほど偏在度合が高まって色濃くかつ広範囲に生じる。液晶パネル１２１に焼き付きが生じると、焼き付きが生じている箇所では印加された駆動電圧に対応する変調とならず、投射画像には、焼き付きが生じている箇所に対応した箇所にむらが生じることとなる。処理部３０２は、解消機能を実行することで、投射制御部３０１に、全域が黒色の投射画像や、全域が白色の投射画像、スクリーンセイバーのような時間経過と共に変化する投射画像等を投射させる。これにより、処理部３０２は、液晶分子やイオン不純物の部分的な偏在を解消して、液晶パネル１２１の焼き付きを解消する。
なお、以後の説明では、液晶パネル１２１に発生する焼き付きを、光変調装置１２の焼き付きという。
【００３６】
決定部３０３は、撮像部５２が撮像した撮像データから、処理部３０２が解消機能を実行する解消実行時間を決定する。決定部３０３の解消実行時間の決定については、後述する。
【００３７】
次に、プロジェクター１の動作について説明する。
図２は、プロジェクター１の動作を示すフローチャートである。
【００３８】
プロジェクター１の制御部３の処理部３０２は、解消機能の実行を開始するタイミングが到来したか否かを判定する（ステップＳ１）。例えば、処理部３０２は、現在の時刻を計時しており、予め定められた時刻に至った場合に、解消機能の実行を開始するタイミングが到来したと判定する。なお、処理部３０２は、プロジェクター１が起動した際に図示せぬＲＴＣから現在日時を取得し、取得した現在日時にタイマー機能で測定した起動時からの時間を加算して現在時刻を計時する。ＲＴＣは、Ｒｅａｌ  Ｔｉｍｅ  Ｃｌｏｃｋの略である。
【００３９】
処理部３０２が解消機能の実行を開始するタイミングが到来したと判定した場合（ステップＳ１）、投射制御部３０１は、解消実行時間を決定するための投射画像を投射部１０に投射させる（ステップＳ２）。解消実行時間を決定するための投射画像を、以下の説明では「決定用投射画像」という。決定用投射画像は、例えば画像の全画素が無彩色の同一色となっている画像であり、具体的には画像全体が白色、或いは灰色の画像である。
【００４０】
次いで、投射制御部３０１が投射部１０に決定用投射画像を投射させると、決定部３０３は、スクリーンＳＣに投射された決定用投射画像を撮像部５２に撮像させる（ステップＳ３）。
【００４１】
次いで、決定部３０３は、ステップＳ３で撮像部５２が撮像した撮像データから、第１の解消実行時間を決定する（ステップＳ４）。第１の解消実行時間は、処理部３０２が解消機能を実行できる最大の解消実行時間である。第１の解消実行時間は、本発明の第１の時間に相当する。ここで、第１の解消実行時間の決定方法について、複数の例を示して説明する。
【００４２】
［例１］
決定部３０３は、撮影データから、予め定められた基準値と異なる階調値の画素を特定し、特定した画素の数に応じて第１の解消実行時間を決定する。基準値は、例えば、液晶パネル１２１に焼き付きが生じていない場合に投射された決定用投射画像を撮影した撮影データの画素の平均階調値である。基準値は、事前のテストやシミュレーション等によって定められ、予め記憶部３１等に記憶される。決定部３０３は、特定した画素の数が多くなればなるほど長い時間となるように第１の解消実行時間を決定する。決定部３０３は、第１の解消実行時間を決定する際に、所定のアルゴリズムを用いて決定してもよいし、特定した画素の数と第１の解消実行時間を示す情報とが対応付いたデータベースを参照して決定してもよい。これにより、決定部３０３は、光変調装置１２の焼き付きの度合いに応じた第１の解消実行時間を決定できる。
【００４３】
［例２］
決定部３０３は、撮影データから、予め定められた基準値と異なる階調値を示す画素のうち、最も値が離れている画素の階調値と基準値との差に応じて、第１の解消実行時間を決定する。基準値は、例えば、例１で説明した平均階調値であり、事前のテストやシミュレーション等によって定められ、予め記憶部３１等に記憶されている。決定部３０３は、最も値が離れている画素の階調値と基準値との差が大きくなればなるほど長い時間となるように第１の解消実行時間を決定する。決定部３０３は、例１と同様に、所定のアルゴリズムを用いて演算により決定してもよいし、この差を示す情報と第１の解消実行時間を示す情報とが対応付いたデータベースを参照して決定してもよい。これにより、決定部３０３は、光変調装置１２の焼き付きの度合いに応じた第１の解消実行時間を決定できる。また、最も値の離れた画素の階調値と基準値との差に応じた第１の解消実行時間を決定するため、決定部３０３は、焼き付きの解消効果を十分に得られる第１の解消実行時間を決定できる。
【００４４】
決定部３０３が第１の解消実行時間を決定すると、処理部３０２は、解消機能の実行を開始する（ステップＳ５）。
【００４５】
次いで、処理部３０２は、解消機能の実行を開始してから第１の解消実行時間の半分の時間が経過したか否かを判定する（ステップＳ６）。第１の解消実行時間の半分の時間は、本発明の第２の時間に相当する。第１の解消実行時間の半分の時間が経過していないと判定した場合（ステップＳ６：ＮＯ）、処理部３０２は、再度ステップＳ６の判定を行う。
【００４６】
一方で、第１の解消実行時間の半分の時間が経過したと判定した場合（ステップＳ６）、決定部は解消機能を停止する（ステップＳ７）。次いで、投射制御部３０１は、投射部１０に決定用投射画像を投射させる（ステップＳ８）。
【００４７】
次いで、決定部３０３は、スクリーンＳＣに投射された決定用投射画像を撮像部５２に撮像させる（ステップＳ９）。
【００４８】
次いで、決定部３０３は、ステップＳ９で撮像部５２が撮像した撮像データに基づいて、光変調装置１２の焼き付きが解消したか否かを判定する（ステップＳ１０）。
【００４９】
例えば、決定部３０３は、上述した基準値と異なる階調値の画素の数が、所定数以下であるか否かに応じて、光変調装置１２の焼き付きが解消したか否かを判定する。所定数は、光変調装置１２に焼き付きが生じていないと見做せる、基準値と異なる階調値の画素数の上限であって、事前のテストやシミュレーション等によって予め定められ、記憶部３１等に記憶されている。決定部３０３は、基準値と異なる階調値を示す画素の数が所定数より多い場合にステップＳ１０で否定判定し、所定数以下である場合にステップＳ１０で肯定判定する。また、例えば、決定部３０３は、ステップＳ９で撮像部５２が撮像した撮影データから、上述した基準値と異なる階調値の画素のうち、最も値の離れた画素の階調値と基準値との差が、所定値以下であるか否かを判定する。所定値は、光変調装置１２に焼き付きが生じていないと見做せる基準値から差の上限であって、事前のテストやシミュレーション等によって予め定められ、記憶部３１等に記憶されている。決定部３０３は、最も値の離れている画素の階調値と基準値との差が所定値より大きい場合にステップＳ１０で否定判定し、所定値以下である場合にステップＳ１０で肯定判定する。
【００５０】
ステップＳ１０において決定部３０３が光変調装置１２の焼き付きが解消したと判定した場合（ステップＳ１０：ＹＥＳ）、処理部３０２は、解消機能の実行を終了する（ステップＳ１１）。処理部３０２は、ステップＳ１０において決定部３０３が肯定判定した場合、解消機能を実行した合計時間が第１の解消実行時間未満でも、解消機能の実行を終了する。これにより、処理部３０２は、光変調装置１２の焼き付きの解消度合に応じて解消機能の実行に要する時間を短縮できる。そのため、処理部３０２は、光変調装置１２の焼き付きが解消しているにも関わらず、不必要に長い時間解消機能を実行することがなく、適切な時間で解消機能を実行できる。また、解消機能の実行に要する時間を短縮できるため、処理部３０２は、解消機能の実行における消費電力を抑えることができる。
【００５１】
特に、決定部３０３は、解消機能の実行を開始してから第１の解消実行時間の半分の時間が経過した場合に、ステップＳ１０の判定を行うため、第１の解消実行時間が経過する前に確実にステップＳ１０の判定を行える。したがって、処理部３０２は、光変調装置１２の焼き付きの解消度合に応じて、解消機能の実行に要する時間を、解消機能の実行前に決定された第１の解消実行時間より短くすることができる。
【００５２】
一方、ステップＳ１０において決定部３０３が光変調装置１２の焼き付きが解消していないと判定した場合（ステップＳ１０：ＮＯ）、決定部３０３は、ステップＳ９で撮像部５２が撮像した撮像データから、第２の解消実行時間を決定する（ステップＳ１２）。第２の解消実行時間は、決定部３０３がステップＳ１０で否定判定する度に決定される。第２の解消実行時間は、本発明の第３の時間に相当する。決定部３０３は、ステップＳ１２において、上述した例１或いは例２の方法によって、第２の解消実行時間を決定する。第２の解消実行時間は、少なくとも解消機能の実行を開始してから第１の解消実行時間の半分の時間が経過した後に決定されるため、少なくとも第１の解消実行時間以下の時間である。
【００５３】
決定部３０３が第２の解消実行時間を決定すると、処理部３０２は、解消機能の実行を再開する（ステップＳ１３）。
【００５４】
次いで、処理部３０２は、解消機能の実行を再開してからステップＳ１２で決定した第２の解消実行時間の半分の時間が経過したか否かを判定する（ステップＳ１４）。第２の解消実行時間の半分の時間は、本発明の第４の時間に相当する。第２の解消実行時間の半分の時間が経過していないと判定した場合（ステップＳ１４：ＮＯ）、処理部３０２は、再度ステップＳ１４の判定を行う。
【００５５】
一方で、処理部３０２が第２の解消実行時間の半分の時間が経過したと判定した場合（ステップＳ１４：ＹＥＳ）、処理部３０２は、解消機能を実行した合計時間が第１の解消実行時間以上であるか否かを判定する（ステップＳ１５）。
【００５６】
処理部３０２は、解消機能を実行した合計時間が第１の解消実行時間未満であると判定した場合（ステップＳ１５：ＮＯ）、処理をステップＳ７に戻す。そして、投射制御部３０１は、再度、投射部１０に決定用投射画像を投射させる。決定部３０３は、再度撮像部５２に決定用投射画像を撮像させ、撮影データに基づいて、再度光変調装置１２の焼き付きが解消したか否かを判定する（ステップＳ１０）。決定部３０３がステップＳ１０で肯定判定した場合、処理部３０２はステップＳ１１の処理を行い、決定部３０３がステップＳ１０で否定判定した場合、決定部３０３は再度ステップＳ１２以降の処理を実行する。
【００５７】
このように、決定部３０３は、第２の解消実行時間の半分の時間が経過し、且つ解消機能を実行した合計時間が第１の解消実行時間未満である場合、再度光変調装置１２の焼き付きが解消した否かを判定する。そのため、決定部３０３は、第１の解消実行時間が経過する前に、再度、ステップＳ１０の判定を行える。したがって、処理部３０２は、第１の解消実行時間の半分が経過した後であっても、光変調装置１２の焼き付きの解消度合に応じて解消機能の実行に要する時間を短縮できる。
【００５８】
一方で、処理部３０２は、解消機能を実行した合計時間が第１の解消実行時間以上であると判定した場合（ステップＳ１５：ＹＥＳ）、解消機能の実行を終了する（ステップＳ１１）。このように、処理部３０２は、解消機能を実行した合計時間が第１の解消実行時間以上である場合、解消機能の実行を終了するため、第１の解消実行時間より長い時間で解消機能を実行することを抑制できる。
【００５９】
図２では、ステップＳ６において第１の解消実行時間の半分の時間が経過した場合に、ステップＳ７、Ｓ８の処理を実行する場合を説明した。しかしながら、ステップＳ７へ移行する経過時間は、第１の解消実行時間の半分より短い時間でもよいし、第１の解消実行時間より短く第１の解消実行時間の半分より長い時間でもよい。同様に、ステップＳ１４へ移行する経過時間は、第２の解消実行時間の半分より短い時間でもよいし、第２の解消実行時間より短く第２の解消実行時間の半分より長い時間でもよい。
【００６０】
以上、説明したように、プロジェクター１は、光変調装置１２を有し、光変調装置１２により投射画像を投射する投射部１０と、投射部１０により投射された投射画像を撮像し、撮影データを生成する撮像部５２と、撮影データから、光変調装置１２の焼き付きを解消する解消機能を実行する第１の解消実行時間を決定する決定部３０３と、決定部３０３が決定した第１の解消実行時間の間で、解消機能を実行する処理部３０２と、を備える。
【００６１】
本発明の表示装置、及び、表示装置の制御方法を適用したプロジェクター１によれば、光変調装置１２の生じた焼き付き度合に応じて第１の解消実行時間を決定できるため、適切な時間で解消機能を実行できる。
【００６２】
また、決定部３０３は、解消機能の実行によって光変調装置１２の焼き付きが解消したか否かを判定する。処理部３０２は、決定部３０３が解消したと判定した場合、解消機能の実行を開始してから第１の解消実行時間が経過していなくても解消機能の実行を終了する。
【００６３】
この構成によれば、処理部３０２は、光変調装置１２の焼き付きの解消度合に応じて解消機能の実行に要する時間を短縮できる。そのため、処理部３０２は、光変調装置１２の焼き付きが解消しているにも関わらず、不必要に長い時間、解消機能を実行することがなく、適切な時間で解消機能を実行できる。また、解消機能の実行に要する時間を短縮できるため、処理部３０２は、解消機能の実行における消費電力を抑えることができる。
【００６４】
決定部３０３は、解消機能の実行を開始してから第１の解消実行時間の半分の時間が経過した場合に、光変調装置１２の焼き付きが解消したか否かを判定する。
【００６５】
この構成によれば、決定部３０３は、第１の解消実行時間が経過する前に確実に光変調装置１２の焼き付きが解消したか否かの判定を行える。したがって、処理部３０２は、光変調装置１２の焼き付きの解消度合に応じて、解消機能の実行に要する時間を、解消機能の実行前に決定した第１の解消実行時間より短くすることができる。
【００６６】
また、決定部３０３は、光変調装置１２の焼き付きが解消していないと判定した場合、撮影データから第２の解消実行時間を決定する。決定部３０３は、第２の解消実行時間の決定後に処理部３０２が解消機能の実行を再開してから第２の解消実行時間の半分の時間が経過し、且つ解消機能を実行した合計時間が第１の解消実行時間未満である場合、光変調装置１２の焼き付きが解消した否かを判定する。
【００６７】
この構成によれば、決定部３０３は、第２の解消実行時間の半分の時間が経過した場合、再度光変調装置１２の焼き付きが解消した否かを判定するため、第１の解消実行時間が経過する前に、再度、ステップＳ１０の判定を行える。したがって、処理部３０２は、第１の解消実行時間の半分が経過した後であっても、光変調装置１２の焼き付きの解消度合に応じて解消機能の実行に要する時間を短縮できる。
【００６８】
また、処理部３０２は、解消機能を実行した合計時間が第１の解消実行時間以上である場合、解消機能の実行を終了する。
【００６９】
この構成によれば、第１の解消実行時間より長い時間で解消機能を実行することを抑制でき、適切な時間で解消機能を実行できる。
【００７０】
また、処理部３０２は、予め設定されたタイミングで解消機能を実行する。
【００７１】
この構成によれば、予め設定されたタイミングで解消機能を実行するため、解消機能の実行にユーザーの手間がかかることがなく、且つ、適切な時間で解消機能を自動で実行できる。
【００７２】
上述した実施形態及び各変形例は、本発明の好適な実施の形態である。ただし、これに限定されるものではなく、本発明の要旨を逸脱しない範囲内において種々の変形実施が可能である。
【００７３】
例えば、上述したプロジェクター１の制御方法が、プロジェクター１が備えるコンピューター、又は、プロジェクター１に接続される外部装置を用いて実現される場合、本発明を、当該方法を実現するためにコンピューターが実行するプログラム、このプログラムをコンピューターで読み取り可能に記録した記録媒体、或いは、このプログラムを伝送する伝送媒体の態様で構成することも可能である。プロジェクター１の制御方法は、本発明の表示装置の制御方法に相当する。
【００７４】
また、図２に示すフローチャートの処理単位は、プロジェクター１の制御部３の処理を理解容易にするために、主な処理内容に応じて分割したものである。図２のフローチャートに示す処理単位の分割の仕方や名称によって本発明が制限されることはない。また、制御部３の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【００７５】
また、図１に示すプロジェクター１の各機能部とは、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。
【００７６】
また、本発明の表示装置は、スクリーンＳＣに画像を投射するプロジェクターに限定されない。例えば、表示装置は、液晶表示パネルに画像を表示する液晶表示装置や、有機ＥＬパネルに画像を表示する表示装置など、モニター若しくは液晶テレビ等の自発光型の表示装置を含む。また、その他の各種の表示装置も本発明の表示装置に含まれる。
【符号の説明】
【００７７】
１…プロジェクター（表示装置）、２…画像供給装置、３…制御部、１０…投射部（表示部）、１１…光源、１２…光変調装置（電気光学装置）、１３…投射光学系、２１…光源駆動部、２２…光変調装置駆動部、２３…インターフェース、２４…フレームメモリー、２５…画像処理部、２６…バス、３０…ＣＰＵ、３１…記憶部、５０…リモコン、５１…操作部、５２…撮像部、５３…無線通信部、１２１…液晶パネル、３０１…投射制御部、３０２…処理部、３０３…決定部、３１１…制御プログラム、３１２…設定データ、５１１…操作パネル、５１２…リモコン受光部、５１３…入力処理部、ＳＣ…スクリーン。
【図１】
2020012963.tif 000003
【図２】
2020012963.tif 000004